(57)【要約】製品の少なくとも識別子を含む非接触メモリタグ（ＣＭＴ）（１２０）と、製品の特性を反映する感覚刺激要素（ＳＳＥ）（１４０）と、を含む、製品に関する加工品（１００）が本明細書に記載される。製品の感覚特質を識別することと、感覚特質のサンプルをＳＳＥ（１４０）に組み込むことと、ＣＭＴ（１２０）を提供することであって、メモリが製品の識別子を含む、提供することと、ＳＳＥ（１４０）及びＣＭＴ（１２０）を含む加工品（１００）を提供することと、を含む、加工品（１００）を準備するための方法。
2020507163.tif 000002
【特許請求の範囲】
【請求項１】
製品に関する加工品（１００）であって、
−前記製品の少なくとも識別子を含む非接触メモリタグ（ＣＭＴ）（１２０）と、
−前記製品の特性を反映する、感覚刺激要素（ＳＳＥ）（１４０）と、を備える、加工品（１００）。
【請求項２】
前記ＳＳＥ（１４０）が、香り放出要素であり、前記ＣＭＴ（１２０）が、近距離通信（ＮＦＣ）タグである、請求項１に記載の加工品。
【請求項３】
雑誌挿入物である、請求項１に記載の加工品。
【請求項４】
前記ＣＭＴが、前記ＳＳＥの状態に従ってデータを送信するように構成され、前記ＳＳＥが、非活性化又は活性化の状態を有する、請求項１〜３のいずれか一項に記載の加工品（１００）。
【請求項５】
少なくとも２つの状態を有するユーザ入力パネルを更に備え、前記ＣＭＴが、前記ユーザ入力パネルの前記状態に従ってデータを送信するように構成されている、請求項１〜４のいずれか一項に記載の加工品（１００）。
【請求項６】
請求項１〜５のいずれか一項に記載の加工品（１００）を準備するための方法であって、
−前記製品の感覚特質を識別することと、
−前記感覚特質のサンプルを前記ＳＳＥ（１４０）に組み込むことと、
−前記ＣＭＴ（１２０）を提供することであって、前記メモリが、前記製品の識別子を含む、提供することと、
−前記ＳＳＥ（１４０）及びＣＭＴ（１２０）を含む前記加工品（１００）を提供することと、を含む、方法。
【請求項７】
前記ＣＭＴ（１２０）及び前記加工品（１００）を基材に取り付ける工程を更に含む、請求項６に記載の方法。
【請求項８】
請求項６又は７に記載の方法に従って準備された加工品。
【請求項９】
製品のサンプルパックを要求するための方法であって、
−スマートデバイス（２００）上で、請求項１〜５及び８のいずれか一項に記載の加工品（１００）の前記ＣＭＴ（１２０）から製品の識別子を受信することと、
−インターネット（２５０）を介して前記スマートデバイス（２００）からリモートコンピュータシステム（３００）に、前記識別子及び消費者連絡先情報を転送して、前記要求の履行を開始することと、
−前記スマートデバイス（２００）上で、前記製品のサンプルパックが前記消費者に発送される予定であるという確認を受信することと、を含む、方法。
【請求項１０】
前記スマートデバイス（２００）によって実施される、請求項９に記載の方法。
【請求項１１】
命令を有するコンピュータプログラム又はコンピュータプログラム製品を表すデータストリームであって、前記命令が、コンピューティングデバイスによって実行されると、前記コンピューティングデバイスに、請求項９に記載の方法を実施させる、データストリーム。
【請求項１２】
製品のサンプルパックを要求するための方法であって、
−インターネット（２５０）を介してスマートデバイス（２００）から、請求項１〜５及び８のいずれか一項に記載の加工品（１００）の前記ＣＭＴ（１２０）からの製品の識別子を受信することと、
−インターネット（２５０）を介して前記スマートデバイス（２００）から、消費者連絡先情報を受信することと、
−インターネット（２５０）を介して前記スマートデバイス（２００）に、前記製品のサンプルパックが前記消費者に発送される予定であるという確認を送ることと、を含む、方法。
【請求項１３】
前記インターネット（２５０）に接続されたリモートコンピュータシステム（３００）によって実施される、請求項１２に記載の方法。
【請求項１４】
命令を有するコンピュータプログラム又はコンピュータプログラム製品であって、前記命令が、コンピューティングデバイス又はシステムによって実行されると、前記コンピューティングデバイス又はシステムに、請求項１２に記載の方法を実施させる、コンピュータプログラム又はコンピュータプログラム製品。
【発明の詳細な説明】
【技術分野】
【０００１】
従来のサンプルパックのコスト、形態、及び重量を低減する、製品サンプルパックをサンプリング及び取得するための様式を提供する、感覚刺激加工品に関連する製品及び方法が本明細書に記載される。
【背景技術】
【０００２】
サンプルパック消費者製品により、消費者は、購入前に製品を試すことができる。サンプルパックは、通常、製品、例えば、布地柔軟剤又はシャンプーを伴う剛性ボトルなどの容器を含む、煩雑な物品である。いくつかの製品は、サンプルパック内で提供することができないか、あるいは簡単な小袋によって発送することができるものを超える複雑な分配システム又は特徴部を必要とするエアゾールなどのように、法外に高価になるだろう。雑誌は、サンプルパックをターゲット読者に配布するための有効な手段を提供するが、それが携帯できる体積及び重量について制限があり、しばしば、効果的なサンプリングを可能にするには十分でなく、例えば、洗濯洗剤又は柔軟剤の用量を雑誌内に取り付けることができない。サンプルパックが小売スペース内で陳列に提供される場合、それは、別個の配布チャネル、小売スペースの採用、及び受け取り後に消費者によって未使用のままである配布済みサンプルとして大量の廃棄物を生成することを必要とする。
【発明の概要】
【発明が解決しようとする課題】
【０００３】
本発明は、当該技術の問題のうちの少なくともいくつかを克服することを目的としている。
【課題を解決するための手段】
【０００４】
−製品の少なくとも識別子を含む非接触メモリタグ（contactless memory tag、ＣＭＴ）（１２０）と、
−製品の特性を反映する、感覚刺激要素（sensory stimulation element、ＳＳＥ）（１４０）と、を含む、製品に関連する加工品（１００）が本明細書に記載される。
【０００５】
ＳＳＥ（１４０）は、香り放出要素であってもよく、ＣＭＴ（１２０）は、近距離通信（near-field communication、ＮＦＣ）タグである。加工品は、雑誌挿入物であってもよい。ＣＭＴは、ＳＳＥの状態に従ってデータを送信するように構成されてもよく、ＳＳＥは、非活性化又は活性化されていない状態を有する。
【０００６】
加工品（１００）は、少なくとも２つの状態を有するユーザ入力パネルを更に含んでもよく、ＣＭＴは、ユーザ入力パネルの状態に従ってデータを送信するように構成されている。
【０００７】
また、
−製品の感覚特質を識別することと、
−感覚特質のサンプルをＳＳＥ（１４０）に組み込むことと、
−ＣＭＴ（１２０）を提供することであって、メモリが、製品の識別子を含む、提供することと、
−ＳＳＥ（１４０）及びＣＭＴ（１２０）を含む加工品（１００）を提供することと、を含む、本明細書に記載される加工品（１００）を準備するための方法が本明細書に記載される。
【０００８】
方法は、ＣＭＴ（１２０）及び加工品（１００）を基材に取り付ける工程を更に含んでもよい。また、本方法に従って準備された加工品も記載される。
【０００９】
また、
−スマートデバイス（２００）上で、加工品（１００）のＣＭＴ（１２０）から製品の識別子を受信することと、
−インターネット（２５０）を介してスマートデバイス（２００）からリモートコンピュータシステム（３００）に、識別子及び消費者連絡先情報を転送して、要求の履行を開始することと、
−スマートデバイス（２００）上で、製品のサンプルパックが消費者に発送される予定であるという確認を受信することと、を含む、製品のサンプルパックを要求するための方法が本明細書に記載される。
【００１０】
一致する方法は、スマートデバイス（２００）によって実施されてもよい。
【００１１】
また、命令を有するコンピュータプログラム又はコンピュータプログラム製品を表すデータストリームが本明細書に記載され、命令は、コンピューティングデバイスによって実行されると、コンピューティングデバイスに、スマートデバイス（２００）によって実施される製品のサンプルパックを要求する方法を実施させる。
【００１２】
また、
−インターネット（２５０）を介してスマートデバイス（２００）から、加工品（１００）のＣＭＴ（１２０）からの製品の識別子を受信することと、
−インターネット（２５０）を介してスマートデバイス（２００）から、消費者連絡先情報を受信することと、
−インターネット（２５０）を介してスマートデバイス（２００）に、製品のサンプルパックが消費者に発送される予定であるという確認を送ることと、を含む、製品のサンプルパックを要求するための方法が本明細書に記載される。
【００１３】
製品のサンプルパックを要求する方法は、インターネット（２５０）に接続されたリモートコンピュータシステム（３００）によって実施されてもよい。
【００１４】
また、命令を有する方法コンピュータプログラム又はコンピュータプログラム製品が本明細書に記載され、命令は、コンピューティングデバイス又はシステムによって実行されると、コンピューティングデバイス又はシステムに、インターネット（２５０）に接続されたリモートコンピュータシステム（３００）によって実施される製品のサンプルパックを要求するための方法を実施させる。
【図面の簡単な説明】
【００１５】
【図１】本明細書に記載される加工品の概略図である。
【図２】加工品とやり取りする消費者の概略図である。
【図３】スマートフォンを介してインターネット経由で加工品からリモートコンピュータシステムへの情報転送の例示を示す。
【発明を実施するための形態】
【００１６】
本発明の加工品及び方法が記載される前に、このような加工品及び方法並びにこれらの組み合わせが当然ながら変化し得るので、本発明は、記載される特定の加工品及び方法又はこれらの組み合わせに限定されるものではないことを理解されたい。また、本明細書で使用される用語は、本発明の範囲が添付の特許請求の範囲によってのみ限定されることから、限定することを意図するものではないことも理解されたい。
【００１７】
本明細書で使用されるとき、単数形「ａ」、「ａｎ」、及び「ｔｈｅ」は、文脈で明示されない限り、単数形及び複数形の両方の対象物を含む。
【００１８】
本明細書で使用される用語「含んでいる（comprising）」、「含む（comprises）」、及び「含む（comprised of）」は、「含んでいる（including）」、「含む（includes）」、又は「含有している（containing）」、「含有する（contains）」と同義であり、包括的又はオープンエンドであり、追加の、列挙されていない部材、要素、又は方法工程を除外しない。本明細書で使用されるとき、用語「含んでいる（comprising）」、「含む（comprises）」、及び「含む（comprised of）」は、用語「からなっている（consisting of）」、「からなる（consists）」、及び「からなる（consists of）」を含むことが理解されるであろう。
【００１９】
端点による数値範囲の列挙は、それぞれの範囲内に包含される全ての数及び分数、並びに列挙された端点を含む。
【００２０】
本明細書で使用される用語「約（about）」又は「およそ（approximately）」は、パラメータ、量、時間的持続時間などの測定可能な値を指すとき、特定の値からの＋／−１０％以下、好ましくは＋／−５％以下、より好ましくは＋／−１％以下、及び更により好ましくは＋／−０．１％以下の変動を包含することを意味し、それは、そのような変動が開示された発明に置いて実施するのに適切であるためである。修飾語「約」又は「およそ」が指す値は、それ自体もまた、具体的に、かつ好ましくは開示されていることを理解されたい。
【００２１】
例えば、一群の部材のうちの１つ以上の又は少なくとも１つの部材（複数可）などの用語「１つ以上の（one or more）」又は「少なくとも１つ（at least one）」は、更に例示することによって、それ自体明らかであるが、とりわけ、前述の部材のうちのいずれか１つに対する、又は前述の部材のうちの任意の２つ以上、例えば、前述の部材のうちの任意の≧３、≧４、≧５、≧６、又は≧７など、及び最大で前述の部材の全てに対する言及を包含する。
【００２２】
特に定義されない限り、技術的及び科学的用語を含む本発明が開示される際に使用される全ての用語は、本発明が属する分野における当業者によって一般的に理解されるものと同じ意味を有する。更なる指針によって、用語の定義は、本発明の教示をより良く理解するために含まれる。
【００２３】
以下の節では、本発明の異なる態様が、より詳細に定義される。そのように定義される各態様は、そうでないことが明確に示されていない限り、任意の他の１つの態様又は複数の態様と組み合わせることができる。特に、好ましいか又は有利であるものとして示される任意の特徴は、好ましいか又は有利であるものとして示される任意の他の１つの特徴又は複数の特徴と組み合わせることができる。
【００２４】
本明細書全体を通した「一実施形態（one embodiment）」又は「一実施形態（an embodiment）」への言及は、本実施形態に関連して記載される特定の特徴、構造、又は特性が本発明の少なくとも１つの実施形態に含まれることを意味する。したがって、本明細書全体を通して様々な場所における「一実施形態では（in one embodiment）」又は「一実施形態では（in an embodiment）」という語句の出現は、必ずしも全てが同じ実施形態を指すものではないが、指すこともできる。更に、特定の特徴、構造、又は特性は、１つ以上の実施形態において、本開示から当業者には明らかであろうように、任意の好適な様式で組み合わせることができる。更に、本明細書に記載されるいくつかの実施形態は、他の実施形態に含まれるいくつかの他の特徴を含まないが、異なる実施形態の特徴の組み合わせは、本発明の範囲内にあることを意味し、当業者によって理解されるであろうように、異なる実施形態を形成する。例えば、添付の特許請求の範囲において、特許請求される実施形態のいずれも、任意の組み合わせで使用することができる。
【００２５】
本発明の本記載では、その一部を形成する添付の図面を参照するが、これらの図面では、本発明を実施することができる特定の実施形態のみを例示として示す。各要素に付された括弧付き又は太字の参照番号は、単に例としてそれぞれの要素を例示するものであり、それによってそれぞれの要素を限定することは意図されていない。本発明の範囲から逸脱することなく、他の実施形態を利用することができ、構造的又は論理的な変更を加えることができることを理解されたい。したがって、以下の詳細な記載は、限定的な意味で解釈されるべきではなく、本発明の範囲は添付の特許請求の範囲によって定義される。
【００２６】
加工品、加工品の準備の方法、及び加工品の使用の方法が本明細書に提供され、加工品は、製品に関連する。
【００２７】
一態様によれば、
製品の少なくとも識別子を含む非接触メモリタグ（ＣＭＴ）と、
−製品の特性を反映する感覚刺激要素（ＳＳＥ）と、を含む、製品に関連する加工品が提供される。
【００２８】
別の態様によれば、
−製品の感覚特質を識別することと、
−感覚特質のサンプルを感覚刺激要素（ＳＳＥ）に組み込むことと、
−非接触メモリタグ（ＣＭＴ）を提供することであって、メモリが、製品の識別子を含む、提供することと、
−ＳＳＥ及びＣＭＴを含む加工品を提供することと、を含む製品の販売促進のための加工品を準備するための方法が提供される。
【００２９】
別の態様によれば、
−加工品の非接触メモリタグ（ＣＭＴ）から製品の識別子を受信することと、
−インターネットを介して中央サーバに、識別子及び随意に消費者連絡先情報を転送することと、を含む、製品に関連する情報を転送する方法が提供される。
【００３０】
製品は、通常、１つ以上の感覚刺激特性を有する消費者製品である。感覚刺激とは、それがヒト又は動物の感覚、すなわち嗅覚、味覚、触覚、視覚、又は音波のうちの１つ以上を刺激することができることを意味する。製品は、流体（例えば、液体、ゲル、蒸気／気体）、粉末、錠剤、パウチ、又は他の固体物質であってもよい。
【００３１】
消費者製品の例としては、
−布地柔軟剤、洗濯洗剤、調理器具洗剤（食器洗浄機、手洗い）などの洗浄製品、
−表面洗浄剤、床洗浄剤、窓洗浄剤などの洗浄製品、
−クリーム（例えば、顔、身体、又は手）、油（例えば、顔、身体、又は手）、香料などの皮膚製品、
−空気清浄製品（例えば、液体、ゲル、固体）が挙げられる。
【００３２】
好ましくは、製品は、少なくとも嗅覚刺激特性を有する。
【００３３】
加工品は、ＣＭＴ及びＳＳＥを取り付けるための基材を含む。基材は、ＣＭＴ及びＳＳＥの取り付けに対して、任意の好適なものであってもよい。それは、好ましくは無線周波数電磁放射線に対して不透明である。それは、少なくとも部分的にポリマー材料（例えば、ポリエチレン）から、紙から、又はこれらの組み合わせから形成されてもよい。それは、織布又は不織布材料由来であってもよい。それは、少なくとも部分的に接着剤であってもよいか、そうでなくてもよい。それは、可撓性、半剛性、又は剛性であってもよい。加工品は、加工品の裏側にＣＭＴを含む多層構造の形態、及び前側に設けられるＳＳＥの形態を取ってもよい。それは、片面又は両面に印刷可能であってもよい。
【００３４】
加工品は、雑誌挿入物であってもよく、それは、雑誌のページ内に挿入するのに、又は外側カバー上に取り付けられるのに好適である。当業者であれば、雑誌挿入物が薄く、通常、本質的に平面であり、雑誌の取り付け面積よりも小さい寸法であることを理解するであろう。
【００３５】
非接触メモリタグ（ＣＭＴ）は、メモリ構成要素と、データの転送のための無線送受信機と、を含む電子デバイスである。それは、アンテナから電力を受信し、無線でデータを交換し、通常、誘導的に活性化された後にＩＣのメモリに記憶されたデータを送信するように構成されたアンテナ及び集積回路（integrated circuit、ＩＣ）を含む。ＣＭＴは、読み出し専用又は書き込み可能であってもよい。ＣＭＴの例は、近距離通信（ＮＦＣ）タグである。ＮＦＣは、最大で約４ｃｍ又は５ｃｍまでの距離の非接触通信を可能にする無線周波数識別（「Radio Frequency Identification、ＲＦＩＤ」）の形態である。ＮＦＣは、１３．５６ＭＨｚのライセンスフリー周波数での誘導結合を利用し、データを最大で４２４Ｋｂｉｔｓ／秒までで転送する。デバイス間の通信は、簡単でかつ自動化された様式で確立される。ペアリング及び複雑な設定は、必要とされない。ユーザは、デバイスを互いに接触させる（例えば、タッピング）ことによって、又はそれらを互いに近接させることによって、異なるデバイス間でデジタルコンテンツに接続し、かつこれを転送してもよい。
【００３６】
スマートデバイスは、スマートフォン、又はＮＦＣリーダモジュールなどのＣＭＴリーダ、及びインターネットへの接続を含む任意のコンピューティングデバイスであってもよい。スマートデバイスは、通常、スクリーンと、タッチスクリーン、プロセッサ、メモリ、好ましくはセルラーネットワークを介したインターネットへの接続などの入力手段と、電源と、を有する。ＮＲＣリーダモジュールを備えるスマートフォンは、当該技術分野において周知である。スマートデバイスは、ＣＭＴから受信したデータを処理するように、かつインターネット経由でリモートコンピュータシステム（例えば、中央サーバ）と交信するように構成されたコンピュータプログラム（アプリ）を備えていてもよい。リモートコンピュータシステムは、通常、製品の製造業者に関連付けられている。
【００３７】
ＣＭＴ内のメモリは、製品の識別子を含む。識別子は、製品のデジタル識別子である。識別子は、ウェブサイトのための又はリモートコンピュータシステムに対する一意の識別コード（unique identification code、ＵＩＤ）又はポインタ（例えば、ＵＲＬ）であってもよい。ポインタは、メディア（例えば、音声の及び／又は視覚の）をストリーミング又はダウンロードすることを可能にし得る。
【００３８】
ＣＭＴは、加工品の外部又は内部に配設されてもよい。ＣＭＴは、加工品の前側又は裏側に配設されてもよい。
【００３９】
ＣＭＴは、デジタル情報を交換するための便利な手段を提供し、データ交換は、加工品が取り付けられている物体とはほとんど無関係に開始され、様々な条件、例えば、湿度、温度、照明で動作し、かつ物体の形状とは無関係に動作するであろう。
【００４０】
感覚刺激要素（ＳＳＥ）は、製品の特性を反映し、嗅覚、味覚、触覚、視覚、又は音波などの知覚を提供する。知覚は、ヒト又は動物の感覚のうちの１つ以上を刺激する。
【００４１】
知覚が嗅覚的である場合、ＳＳＥは香りを放出する。ＳＳＥは、熱若しくは摩擦（例えば、引っ掻き及び嗅ぎ）、水分が加えられると、又はシールを剥がすことによって活性化されてもよい。通常、香りはカプセル化されており、熱又は摩擦が加えられて、カプセル保護コーティングを破壊し、香料を放出するまで、それを閉じ込めたままにすることを可能にする。嗅覚刺激ＳＳＥの例としては、Ｓｃｅｎｔｓｐｈｅｒｅによって提供されるものが挙げられる。
【００４２】
知覚が味覚的である場合、ＳＳＥは、随意に嗅覚知覚と組み合わせて、主に味によって経験される風味知覚を提供する。ＳＳＥは、水分が加えられると活性化されてもよい。
【００４３】
知覚が触覚的である場合、ＳＳＥは、触覚知覚を提供する。触覚ＳＳＥは、従来のエンボス加工及びデボス加工、ラミネート加工、コーティング、並びにワニスなどの技術を使用して提供されてもよい。ＳＳＥは、製品を使用して洗濯された布地のサンプルを含んでもよく、これは、心地よく柔らかい知覚を提供する。
【００４４】
知覚が視覚的である場合、ＳＳＥは、視覚刺激を提供する。ＳＳＥは、色のサンプルを含んでもよい。それは、３Ｄ印象（レンチキュラ及びホログラフィック）、又はダイレクトジェットテクスチャ印刷のような視覚的特殊効果を含んでもよい。
【００４５】
ＳＳＥは、加工品の外部に配設されてもよく、それによって、嗅覚及び触覚などの少なくとも２つの感覚特性を同時に提供することを可能にする。ＳＳＥは、加工品の前方外部に配設されてもよい。
【００４６】
ＳＳＥは、香り、色、又は質感などの、製品の選択された特性を反映することが理解される。ＳＳＥは、１つの知覚を刺激してもよく、又は効果の増強のための知覚の組み合わせを刺激してもよいことが理解されるであろう。例えば、製品が、ラベンダーの色を有し、ラベンダーの香りを放出する布地柔軟剤である場合、ＳＳＥは、対応する特質、すなわち、ラベンダーの色を有し、活性化されるとラベンダーの香りを放出し、柔らかい触感を提供してもよい。感覚刺激要素（ＳＳＥ）は、好ましくは、嗅覚刺激、触覚刺激、又は視覚刺激のうちの１つ以上である。感覚刺激要素（ＳＳＥ）は、好ましくは、嗅覚刺激及び／又は触覚刺激である。
【００４７】
ＣＭＴは、ＳＳＥの状態に従ってデータを送信してもよく、ＳＳＥは、少なくとも２つの異なる状態を有する。ＳＳＥが活性化可能である場合、例えば、引っ掻き及び嗅ぎパネル又は剥離及び嗅ぎパネルの場合、データは、ＳＳＥが非活性化又は活性化の状態にあるかどうかの指標を含んでもよい。２つ以上の異なる状態を報告することができるＣＭＴは、例えば、欧州特許第３００９９６７号から当該分野において既知である。
【００４８】
本発明の一態様は、加工品が、製品に関連しない比較ＳＳＥ、ＣＳＳＥを更に含むことを特徴とする。ＣＣＳＥは、異なる製品又は下位製品の特性を反映し、嗅覚、味覚、触覚、視覚、又は音波のうちの１つ以上などの知覚を提供する。比較ＳＳＥは、ＣＭＴデータによって送信されたデータがＳＳＥ又はＣＳＳＥが活性化されたデータに対応するように、複数状態報告ＣＭＴと組み合わされてもよい。
【００４９】
ＣＭＴは、少なくとも２つの状態を有するユーザ入力パネルの状態に従ってデータを送信してもよい。ユーザ入力パネルは、電気接点を遮断する１つ以上のスイッチ又は遮断可能要素を含んでもよい。ユーザ入力パネルは、ユーザが、例えばＳＳＥ又はＣＳＳＥに関してフィードバックを提供することを可能にする。２つ以上の異なる状態を報告することができるＣＭＴは、例えば、欧州特許第３００９９６７号から当該技術分野において既知である。
【００５０】
加工品は、音声（音波）及び／又は視覚による知覚を惹起してもよく、スマートデバイスは、ＣＭＴの検出に応答して、製品に関連するデジタルメディア（例えば、音声、ビデオ、写真）を受信及びレンダリングする。ＣＭＴメモリは、その上に記憶されたデジタルメディアのストリーミング又はダウンロードのために、ブラウザ又はアプリをリモートコンピュータシステム（例えば、中央サーバ）に方向付けるポインタを含んでもよい。
【００５１】
加工品は、消費者が製品を予備経験することを可能にする。ＳＳＥは、しばしば非認知的（潜在意識）である感覚経験を提供する一方で、ＣＭＴは、製品に関するデジタル情報、及び随意に消費者連絡先詳細をリモートコンピュータシステムと交換することによって、消費者が製品とやり取りするための便利な方法を提供する。
【００５２】
具体的には、加工品は、消費者に製品サンプルパックを提供する問題を解決する。サンプルパックは、実際の製品の少量であり、通常、１回の用量である。製品が液体布地柔軟剤である場合、例えば、１回の洗濯サイクルに十分な用量は、例えば、雑誌内でサンプルパックの配布に制限を課すことで、２０〜４０ｍＬの範囲内にすることができる。多くの製品形態では、サンプルパックは、雑誌の配布とは相容れない硬質容器を利用しなければならない。他の製品は、小袋内で発送され得るものを超える複雑な分配システム又は特徴部を必要とする、エアゾールなどのサンプルパック形態を利用することはできない。例えば、キオスクでの、又は陳列台の使用でのサンプルパックの無料配布は、製造、輸送、及び小売レンタルスペースのかなりのコストを更に招く。更に、廃棄物が、未使用の又は損傷したサンプルから生成される。加工品は、ＳＳＥを介して製品に関連する知覚を提供することによって、製品サンプルパックの重量及び形態の低減を可能にし、サンプルの配布は、製品に対する関心を積極的に表明し、ＣＭＴ及び自身のスマートデバイスを使用して連絡先情報を登録する消費者を対象とする。
【００５３】
加工品は薄い構造で製造することができるので、様々な表面、例えば、雑誌のページ、製品ラベル、公共陳列のためのポスター又はステッカーの中に又はそれらの上に、及びプラスチック、金属、紙、木材、又は他のものなどの他の基材上に、一層の接着剤を介して便利に適用又は一体化され得る。雑誌の場合、加工品は、小売環境においてより少ない棚スペースを占有し、直立位置にある雑誌に対してより高い安定性を提供する。それは、時間の経過とともに、たるみ、しわ、及び歪みが発生する従来のサンプルパックと比較して、ページへのダメージが少なくなる。
【００５４】
加工品は、ＳＳＥ及びＣＭＴが製品に固有であるように準備される。ＳＳＥは、製品の感覚特質のサンプルを含み、ＣＭＴは、製品の識別子を含む。
【００５５】
製品の感覚特質は、製品の知覚のどれが刺激するかを評価すること、及び独特又は強力である少なくとも１つの感覚特質を選ぶことによって選択されてもよい。感覚特質が嗅覚的である場合、例えば、ＳＳＥは、製品を準備するために使用される香りの抽出物を使用して準備されてもよい。感覚特質が触覚的である場合、例えば、ＳＳＥは、製品を使用して洗濯された柔らかい布地の見本を使用して準備されてもよい。
【００５６】
ＣＭＴに記憶された製品の識別子は、通常、データベースに提供され得るルックアップテーブルを使用して、製品と関連付けられている固有の識別コード（ＵＩＤ）であってもよい。ＵＩＤは、ＣＭＴに書き込まれてもよく、又はＣＭＴは予め書き込まれたＵＩＤを備えていてもよく、ルックアップテーブルにエントリを作成することによって製品に関連付けられる。識別子は、ＵＲＬであってもよい。ＩＵＤは、商品名、製品番号、バッチ番号、又はこれらの組み合わせによって製品に関連付けられてもよい。
【００５７】
ＳＳＥ及びＣＭＴの両方が作成されたとき、それらは、加工品の基材上に取り付けられる。ＳＳＥは、一般に、消費者アクセスのために前面に面しているが、ＣＭＴの配置は、無線データ交換にとって重要ではない。
【００５８】
本方法に従って準備された加工品が更に提供される。
【００５９】
本明細書に記載される加工品は、スマートデバイスを介して消費者に、製品に関連する情報を転送するために使用されてもよい。本明細書に記載される加工品は、スマートデバイスを介してリモートコンピュータシステム（例えば、中央サーバ）に、消費者に関連する情報を転送するために使用されてもよい。
【００６０】
一態様によれば、
−スマートデバイス上で、加工品の非接触メモリタグ（ＣＭＴ）から製品の識別子を受信することと、
−インターネットを介してリモートコンピュータシステム（例えば、中央サーバ）に、スマートデバイス上に提供された識別子及び随意に消費者連絡先情報を転送することと、を含む製品に関連する情報を転送する方法が提供される。
【００６１】
一態様によれば、
−スマートデバイス上で、加工品の非接触メモリタグ（ＣＭＴ）から製品の識別子を受信することと、
−インターネットを介してリモートコンピュータシステム（例えば、中央サーバ）に、スマートデバイス上に提供された識別子及び随意に消費者連絡先情報を転送して、要求の履行を開始することと、
−インターネットを介してリモートコンピュータシステムから、製品に関するデジタルメディア（例えば、音声及び／又はビデオ）を受信することと、を含む製品に関連する情報を転送する方法が提供される。
【００６２】
別の態様によれば、
−スマートデバイス上で、加工品の非接触メモリタグ（ＣＭＴ）から製品の識別子を受信することと、
−インターネットを介してリモートコンピュータシステム（例えば、中央サーバ）に、識別子及び消費者連絡先情報を転送することと、
−スマートデバイス上でインターネットを介してリモートコンピュータシステムから、製品のサンプルパックが消費者に発送されるであろうという確認を受信することと、を含む、製品のサンプルパックを要求するための方法が提供される。
【００６３】
上記の方法は、好ましくは、スマートデバイスを使用して実施される。また、スマートデバイスによって実行されると、スマートデバイスに上記の方法を実施させる命令を有するコンピュータプログラム又はコンピュータプログラム製品（例えば、アプリ）も提供される。
【００６４】
また、スマートデバイスによって実行されると、スマートデバイスに上述された方法を実施させる命令を有する、コンピュータプログラム又はコンピュータプログラム製品を表す、データストリームも提供される。
【００６５】
一態様によれば、
−インターネットを介してスマートデバイスから、加工品の非接触メモリタグ（ＣＭＴ）からの製品の識別子、及び随意に消費者連絡先情報を受信することと、
−インターネットを介してスマートデバイスに、製品に関連するデジタルメディア（例えば、音声及び／又はビデオ）を送ることと、を含む、製品に関連する情報を転送する方法が提供される。
【００６６】
別の態様によれば、
−インターネットを介してスマートデバイスから、加工品の非接触メモリタグ（ＣＭＴ）からの製品の識別子を受信することと、
−インターネットを介してスマートデバイスから、消費者連絡先情報を受信することと、
−インターネットを介してスマートデバイスに、製品のサンプルパックが消費者に発送されるであろうという確認を送ることと、を含む、製品のサンプルパックを要求するための方法が提供される。
【００６７】
上記の方法は、好ましくは、リモートコンピュータシステム（例えば、中央サーバ）上で実施される。また、リモートコンピュータシステムによって実行されると、リモートコンピュータシステムに上記の方法を実施させる命令を有する、コンピュータプログラム又はコンピュータプログラム製品も提供される。
【００６８】
また、リモートコンピュータシステムによって実行されると、リモートコンピュータシステムに上記の方法を実施させる命令を有する、コンピュータプログラム又はコンピュータプログラム製品を表す、データストリームも提供される。
【００６９】
図１は、電子回路（１２２）及びアンテナ（１２４）を有する非接触メモリタグ（ＣＭＴ）（１２０）と、感覚刺激要素（ＳＳＥ）（１４０）と、を備えるラベル（１１０）である、例示的な加工品（１００）を示す。
【００７０】
図２は、消費者製品に関連する加工品（１００）とやり取りする消費者（１６０）の例示的な用途を示す概略図であり、消費者（１６０）は、ＳＳＥを引っ掻き（１１６２）、製品の香り（１６４）を放出させ、自身のスマートフォン（２００）をタップしてＣＭＴを介してデータを交換して、通常の郵便によって製品の有形のサンプルパックを受け取る。
【００７１】
図３は、インターネット（２５０）経由でスマートフォン（２００）を介したリモートコンピュータシステム（３００）への、加工品（１００）からの情報転送の実例を示す。リモートコンピュータシステム（３００）は、消費者データベース（３１２）へのアクセスを有する消費者登録モジュール（３１０）と、製品データベース（３２２）へのアクセスを有するサンプルパック発送モジュール（３２０）と、メディアデータベース（３２２）へのアクセスを有するメディアモジュール（３３０）と、を含む、例示的な構成を有する。消費者登録モジュール（３１０）は、スマートフォン（２００）からの消費者連絡先詳細、及び消費者データベース（３１２）に記憶されている、ＣＭＴ（１４０）に従った製品の識別情報を受信する。サンプルパックが要求された場合、サンプルパック発送モジュール（３２０）は、製品データベース（３２２）からのサンプルパックの利用可能性をチェックする。調整モジュール（３４０）は、消費者登録モジュール（３１０）からの消費者連絡先詳細を、サンプルパック発送モジュール（３２０）からのサンプルパックの要求注文に関係付ける発送情報を準備する。製品に関するより多くの情報の要求が受信された場合、調整モジュール（３４０）は、要求をメディアモジュール（３３０）に送り、ウェブページ、ストリーミング音声、及び／又はビデオ、電子ドキュメントなどの製品に関するデジタル情報をスマートフォン（２００）に送り返す。
【００７２】
リモートコンピュータシステムは、通常、インターネットに接続された１つ以上の相互接続されたサーバを含む。モジュール（３１０、３２０、３３０、３４０）は、通常、ソフトウェア実装される。
【００７３】
本明細書で開示する寸法及び値は、列挙された正確な数値に厳密に限られるとして理解されるべきではない。その代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味するものとする。
【図１】
2020507163.tif 000003
【図２】
2020507163.tif 000004
【図３】
2020507163.tif 000005
【国際調査報告】
2020507163.tif 000006
2020507163.tif 000007